(57)【特許請求の範囲】
【請求項１】
石けんを載置し得る大きさの皿状で受面を傾斜させ、周壁を形成した容体を設け、前記容体の前記傾斜受面の下降端部分の前記周壁を開口し、その開口部分に連続させて、先端部が開放された排水部を突設して、前記傾斜受面を伝って流れ落ちる水を前記排水部から排出可能にし、更に、前記傾斜受面に、上面を水平状態にした水切り部を設けて成る石けん置き。
【請求項２】
前記周壁を、先端に向かって徐々に低くなるように形成した、請求項１に記載の石けん置き。
【請求項３】
前記排水部の先端部を下方に湾曲してストッパーを形成した、請求項１又は２に記載の石けん置き。
【請求項４】
前記水切り部は複数列の突条である、請求項１乃至３のいずれかに記載の石けん置き。
【請求項５】
前記突条の先端部に盛上げ部を設けた、請求項４に記載の石けん置き。
【請求項６】
前記水切り部は複数の突部である、請求項１乃至３のいずれかに記載の石けん置き。
【請求項７】
前記突部の内、最先端側に位置する突部を他の突部よりも高くした、請求項６に記載の石けん置き。
【発明の詳細な説明】
【技術分野】
【０００１】
本発明は石けん置き、より詳細には、洗面台、風呂場等に置かれた際、石けんの溶解液によって石けんが軟化せず、また、載置部周囲を汚すおそれのない石けん置きに関するものである。
【背景技術】
【０００２】
石けんは湯や水に溶けやすいため、使用後その周囲に付着した水分によって特に底面が溶け、その溶解液によって更に溶融が進んでふやけ、次回使用時に嫌な思いをすることがしばしば起こる。そこで多くの石けん置きの受面には、石けんの密着を防止して水を切るために、突条が形成される。
【０００３】
上記突条によって石けんが石けん置き受面から浮かされて水が切られるが、その水は石けん置きの底に溜まり、やがて石けんの底面が浸ることによって溶解が始まる。特に、浴室においてシャワーを使用するような場合はその溜まりが早く、頻繁にこぼさなければならない煩わしさがある。
【発明の開示】
【発明が解決しようとする課題】
【０００４】
本発明は、上記従来の石けん置きにおける問題点を解決するためになされたもので、使用後の石けんの水切れが良く、しかも底に溶解液が溜まらないために石けんの底面がふやけて不快な思いをすることがなく、且つ、溶解液をこぼす手間が省け、載置部周囲を汚すことなく清潔な状態で使用し続けることができる石けん置きを提供することを課題とする。
【０００５】
【特許文献１】実公昭５６−３６３９８号公報
【特許文献２】実開平７−３４８０号公報
【課題を解決するための手段】
【０００６】
上記課題を解決するための請求項１に記載の発明は、石けんを載置し得る大きさの皿状で受面を傾斜させた容体を設け、前記容体の傾斜受面の下降端に連続させて、先端部が開放された排水部を突設して、前記傾斜受面を伝って流れ落ちる水を前記排水部から排出可能にし、更に、前記傾斜受面に、上面を水平状態にした水切り部を設けて成る石けん置きである。
【０００７】
好ましくは、前記排水部の両側に、前記容体の周壁に連続していて先端に向かって徐々に低くなる側壁を設け、あるいは、容体に周壁を設け、前記傾斜受面の下降端部分の前記周壁を開口し、その開口部分に前記排水部を設け、前記排水部の先端部を下方に湾曲してストッパーを形成する。
【０００８】
前記水切り部は複数列の突条、あるいは、複数の突部とし、突条の場合は先端部に盛上げ部を設け、突部の場合は先端側の突部を他の突部より高くする。
【発明の効果】
【０００９】
本発明に係る石けん置きは上記構成であって、洗面ユニットの洗面器の縁等に配置することにより、石けんに付いた水分は水切り部の作用で滴り落ち、落ちた水は留まることなく傾斜受面に沿って流れて排水部から洗面器等に直接排出されるので、使用後の石けんの水切れが良く、しかも底に溶解液が溜まらないために石けんの底面がふやけて不快な思いをすることがなく、且つ、溶解液をこぼす手間が省け、載置部周囲を汚すことなく清潔な状態で使用し続けることができる効果がある。
【発明を実施するための最良の形態】
【００１０】
本発明を実施するための好ましい形態について、添付図面に依拠して説明する。図１は、本発明に係る石けん置きの一実施形態の斜視図、図２はその拡大縦断面図で、図中１は、石けん１０を載置し得る大きさで適宜形状の皿状容体で、陶磁器、プラスチック、金属、あるいは、木製等である。
【００１１】
容体１の内底面は、後端（図１において上端）から先端に向けて傾斜させた傾斜受面２とし、その下降端に連続させて、先端に向かって下り傾斜させた排水部３を突設する。通例、排水部３の両側に、先端に向かって徐々に低くなる側壁４を設ける。排水部３はその先端を開放し、傾斜受面２を伝って流れ落ち、側壁４によって寄せられてくる水が、そこから流れ落ちるようにする。
【００１２】
傾斜受面２には、石けん１０を浮上させて水を切るための水切り部５を設ける。水切り部５は、例えば図示したような複数列の突条であるが、点状突部を線状に並べ（図４）、あるいは、散在させたものであってもよい。この水切り部５は、全体的に上面が水平状態となるようにし、その上に置かれる石けん１０を安定状態に傾斜受面２から浮上させて支持し、石けん１０からの水切りを行なうと共に、石けん１０が排水部３の方へ片寄らないようにする。
【００１３】
好ましくは、水切り部５が突条であるときには、先端部を少し盛り上げて盛上げ部７を形成し、また、点状突部の場合には、最先端側の突部を他の突部よりも高くする。かくして水切り部５上に置かれた石けん１０が、前方に片寄ることが防止される。
【００１４】
容体１の外底面には、ゴム材、吸盤、発泡材等の滑り止め手段を設置することもある。また、軽量化のために、肉を取ることもある。そして好ましくは、排水部３の先端部を下方に湾曲してストッパー６を形成する。かくして、ストッパー６が洗面台ユニットの洗面器の縁１１に引掛かり、排水部３が洗面器の縁１１の前方に突出した状態が維持される。
【００１５】
図５は本発明の他の実施形態の斜視図で、この場合の容体１は周壁８を有し、周壁８の傾斜受面２の下降端対応部分に開口９を設け、開口９部分に排水部３を設けたものである。この例は、口を大きく開けて舌を出していることを想起させる面白形状としたものである。
【００１６】
本発明に係る石けん置きは、洗面台ユニットの洗面器や浴室のユニット台等の縁に、その排水部３を洗面器等の内方に向けて突出させて載置して用いる。石けん使用後やシャワー使用時に石けん１０の表面に付いた水は、石けん１０から落ちると、傾斜受面２上に留まることなく直ちに流下し、排水部３に集められてその先端開放部から排水される。このように、石けん１０から落ちた水は、溜まることなく直ちに排出されるので、石けん１０が貯溜水に浸って溶け、不快な溶解液が溜まることはない。
【００１７】
しかも、排水部３は洗面器等の内方に向かって突出しているため、排水部３から排出された水は洗面器等に直接流れ落ちるので、溶解液によって石けん置き載置部周辺が汚れることがなく、石けん置き自体及びその載置部周辺を常に清潔に維持することができる。
【００１８】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００１９】
【図１】本発明に係る石けん置きの一実施形態の斜視図である。
【図２】本発明に係る石けん置きの一実施形態の縦断面図である。
【図３】本発明に係る石けん置きの使用状態図である。
【図４】本発明に係る石けん置きの他の実施形態の平面図である。
【図５】本発明に係る石けん置きの更に他の実施形態の斜視図である。
【符号の説明】
【００２０】
１    容体
２    傾斜受面
３    排水部
４    側壁
５    水切り部
６    ストッパー
７    盛上げ部
８    周壁
９    開口
１０    石けん
１１    洗面器の縁
【図１】
0004474351.tif 000002
【図２】
0004474351.tif 000003
【図３】
0004474351.tif 000004
【図４】
0004474351.tif 000005
【図５】
0004474351.tif 000006